(57)【要約】本発明は移動通信システムをチャンネルの状態に適応させる方式を開示する。リンク適応方式及びＡＲＱ（Ａｕｔｏｍａｔｉｃ Ｒｅｐｅａｔ ｒｅＱｕｅｓｔ）方式で基地局からのデータパケットの伝送を制御するために、端末機は順方向パイロット信号の受信電力値を所定の第１しきい値と比較して前記受信電力値が前記第１しきい値より大きいと、受信したタイムスロット内のデータパケットのエラーを検査する。前記検査の結果、復号化後に前記データパケットにエラーがない場合、前記データパケットの再伝送を終了することを要求する信号を基地局に伝送する。
2004502325.tif 000002
【特許請求の範囲】
【請求項１】
複数のデータビットをそれぞれ有する連続タイムスロットを通じて伝送しようとするデータパケットを伝送する基地局と、前記基地局から前記データパケットを受信する端末機とを含む移動通信システムで、前記端末機が前記基地局によるデータパケットの伝送を制御するための方法において、
前記基地局から受信した順方向パイロット信号の受信電力値を所定の第１しきい値と比べる過程と、
前記受信電力値が前記第１しきい値より大きいと、受信したタイムスロット内のデータパケットのエラーを検査する過程と、
前記エラー検査の結果、前記データパケットにエラーがない場合、前記データパケットの再伝送を終了することを要求する信号を前記基地局へ伝送する過程と
を含むことを特徴とする方法。
【請求項２】
前記受信したデータパケットのプリアンブルの長さを検査して低速データ伝送率であるかを確認する過程と、
前記確認の結果、低速データ伝送率であれば、前記比較過程に進行する過程と
をさらに含み、ここで、
前記低速データ伝送率は、同一のパケットを２回以上反復伝送するデータ伝送率であることを特徴とする請求項１に記載の方法。
【請求項３】
前記エラー検査の結果、前記データパケットにエラーがある場合、前記受信電力値に対応するデータ伝送率を決める過程と、
前記決定データ伝送率を前記基地局へ伝送して前記データパケットの再伝送を要求する過程と
をさらに含むことを特徴とする請求項１に記載の方法。
【請求項４】
前記受信電力値が前記第１しきい値より小さいか同一であれば、前記受信電力値に対応するデータ伝送率を決める過程と、
前記決定データ伝送率を前記基地局へ伝送して前記データパケットの再伝送を要求する過程と
をさらに含むことを特徴とする請求項１に記載の方法。
【請求項５】
前記受信電力値が前記第１しきい値より小さいか同一であれば、前記受信電力値を所定の第２しきい値と比べる過程と、
前記受信電力値が前記第２しきい値より小さいと、前記データパケットの再伝送を終了することを要求する信号を前記基地局へ伝送する過程と
をさらに含むことを特徴とする請求項１に記載の方法。
【請求項６】
前記受信電力値が前記第２しきい値より大きいか同一であれば、前記受信電力値に対応するデータ伝送率を決める過程と、
前記決定データ伝送率を前記基地局へ伝送して前記データパケットの再伝送を要求する過程とをさらに含むことを特徴とする請求項５に記載の方法。
【請求項７】
前記第１しきい値は、前記現在のデータパケットのデータ伝送率に対応する受信電力値を前記データパケット伝送回数だけ累算した値であることを特徴とする請求項１、請求項４及び請求項５のうち、いずれか一つに記載の方法。
【請求項８】
前記第２しきい値は、現在のデータ伝送率に対応する受信電力値を所定の余裕間隔で除算して、現在のデータパケットに対してすでに伝送されたスロットの数を乗じた値であることを特徴とする請求項５または請求項６に記載の方法。
【請求項９】
複数のデータビットをそれぞれ有する連続タイムスロットを通じて伝送しようとするデータパケットを伝送する基地局と、前記基地局から前記データパケットを受信する端末機とを含む移動通信システムで、前記端末機が前記基地局によるデータパケットの伝送を制御するための方法において、
前記基地局から受信した順方向パイロット信号の受信電力値を所定の第１しきい値と比べる過程と、
前記受信電力値が前記第１しきい値より大きいと、前記データパケットの再伝送を終了することを要求する信号を前記基地局へ伝送する過程と
を含むことを特徴とする方法。
【請求項１０】
前記受信したデータパケットのプリアンブルの長さを検査して低速データ伝送率であるかを確認する過程と、
前記確認の結果、低速データ伝送率であれば、前記比較過程に進行する過程と
をさらに含み、ここで、
前記低速データ伝送率は、同一のパケットを２回以上反復伝送するデータ伝送率であることを特徴とする請求項９に記載の方法。
【請求項１１】
前記受信電力値が前記第１しきい値より小さいか同一であれば、前記受信電力値に対応するデータ伝送率を決める過程と、
前記決定データ伝送率を前記基地局へ伝送して前記データパケットの再伝送を要求する過程と
をさらに含むことを特徴とする請求項９に記載の方法。
【請求項１２】
前記受信電力値が前記第１しきい値より小さいか同一であれば、前記受信電力値を所定の第２しきい値と比べる過程と、
前記受信電力値が前記第２しきい値より小さいと、前記データパケットの再伝送を終了することを要求する信号を前記基地局へ伝送する過程と
をさらに含むことを特徴とする請求項１１に記載の方法。
【請求項１３】
前記受信電力値が前記第２しきい値より大きいか同一であれば、前記受信電力値に対応するデータ伝送率を決める過程と、
前記決定データ伝送率を前記基地局へ伝送して前記データパケットの再伝送を要求する過程と
をさらに含むことを特徴とする請求項１２に記載の方法。
【請求項１４】
前記第１しきい値は、前記現在のデータパケットのデータ伝送率に対応する受信電力値をデータパケット伝送回数だけ累算した値であることを特徴とする請求項９乃至請求項１３のうち、いずれか一つに記載の方法。
【請求項１５】
前記第２しきい値は、現在のデータ伝送率に対応する受信電力値を所定の余裕間隔で除算して、前記現在のデータパケットに対してすでに伝送されたスロットの数を乗じた値であることを特徴とする請求項１２または請求項１３に記載の方法。
【請求項１６】
複数のデータビットをそれぞれ有する連続タイムスロットを通じて伝送しようとするデータパケットを伝送する基地局と、前記基地局から前記データパケットを受信する端末機とを含む移動通信システムで、前記端末機が前記基地局によるデータパケットの伝送を制御するための方法において、
前記基地局から受信した順方向パイロット信号の受信電力値を所定のしきい値と比べる過程と、
前記受信電力値が前記しきい値より小さいと、前記データパケットの再伝送を終了することを要求する信号を前記基地局へ伝送する過程と
を含むことを特徴とする方法。
【請求項１７】
前記受信したデータパケットのプリアンブルの長さを検査して低速データ伝送率であるかを確認する過程と、
前記確認の結果、低速データ伝送率であれば、前記比較過程に進行する過程と　をさらに含み、ここで、
前記低速データ伝送率は、同一のパケットを２回以上反復伝送するデータ伝送率であることを特徴とする請求項１６に記載の方法。
【請求項１８】
前記しきい値は、現在のデータ伝送率に対応する受信電力値にデータパケット伝送回数だけを乗じた値と、所定の余裕間隔との差に、前記データパケットの伝送可能スロットの総数に対するすでに伝送されたスロットの数の比率を乗じた値であることを特徴とする請求項１６に記載の方法。
【請求項１９】
複数のデータビットをそれぞれ有する連続タイムスロットを通じて伝送しようとするデータパケットを伝送する基地局と、前記基地局から前記データパケットを受信する端末機とを含む移動通信システムで、前記端末機が前記基地局によるデータパケットの伝送を制御するための方法において、
前記基地局から受信した順方向パイロット信号の受信電力値を所定の第１しきい値と比べる過程と、
前記受信電力値が前記第１しきい値より小さいか同一であれば、前記受信電力値に対応するデータ伝送率を決める過程と、
前記決定データ伝送率を前記基地局へ伝送して前記データパケットの再伝送を要求する過程と
を含むことを特徴とする方法。
【請求項２０】
前記受信したデータパケットのプリアンブルの長さを検査して低速データ伝送率であるかを確認する過程と、
前記確認の結果、低速データ伝送率であれば、前記比較過程に進行する過程と
をさらに含み、ここで、
前記低速データ伝送率は同一のパケットを２回以上反復伝送するデータ伝送率であることを特徴とする請求項１９に記載の方法。
【請求項２１】
前記受信電力値が前記第１しきい値より小さいか同一であれば、前記受信電力値を所定の第２しきい値と比べる過程と、
前記受信電力値が前記第２しきい値より大きいか同一であれば、前記受信電力値に対応するデータ伝送率を決める過程と、
前記決定データ伝送率を前記基地局へ伝送して前記データパケットの再伝送を要求する過程と
を含むことを特徴とする請求項１９に記載の方法。
【請求項２２】
前記第１しきい値は、前記現在のデータパケットのデータ伝送率に対応する受信電力値をデータパケット伝送回数だけ累算した値であることを特徴とする請求項１９乃至請求項２１のうち、いずれか一つに記載の方法。
【請求項２３】
前記第２しきい値は、現在のデータ伝送率に対応する受信電力値を所定の余裕間隔で除算して、前記現在のデータパケットに対してすでに伝送されたスロットの数を乗じた値であることを特徴とする請求項２１に記載の方法。
【請求項２４】
複数のデータビットをそれぞれ有する連続タイムスロットを通じて伝送しようとするデータパケットを伝送する基地局と前記基地局から前記データパケットを受信する端末機とを含む移動通信システムで前記端末機が前記基地局によるデータパケットの伝送を制御するための方法において、
前記基地局から受信した順方向パイロット信号の受信電力値を所定の第１しきい値と比べる過程と、
前記受信電力値が前記第１しきい値より小さいか同一であれば、前記基地局に前記データパケットの再伝送を要求する過程と
を含むことを特徴とする方法。
【請求項２５】
前記受信したデータパケットのプリアンブルの長さを検査して低速データ伝送率であるかを確認する過程と、
前記確認の結果、低速データ伝送率であれば、前記比較過程に進行する過程と
をさらに含み、ここで、
前記低速データ伝送率は、同一のパケットを２回以上反復伝送するデータ伝送率であることを特徴とする請求項２４に記載の方法。
【請求項２６】
前記受信電力値が前記第１しきい値より小さいか同一であれば、前記受信電力値を所定の第２しきい値と比べる過程と、
前記受信電力値が前記第２しきい値より大きいか同一であれば、前記基地局に前記データパケットの再伝送を要求する過程と
をさらに含むことを特徴とする請求項２４に記載の方法。
【請求項２７】
前記第１しきい値は、前記現在のデータパケットのデータ伝送率に対応する受信電力値をデータパケット伝送回数だけ累算した値であることを特徴とする請求項２４乃至請求項２６のうち、いずれか一つに記載の方法。
【請求項２８】
前記第２しきい値は、現在のデータ伝送率に対応する受信電力値を所定の余裕間隔で除算して、前記現在のデータパケットに対してすでに伝送されたスロットの数を乗じた値であることを特徴とする請求項２６に記載の方法。
【請求項２９】
複数のデータビットをそれぞれ有する連続タイムスロットを通じて伝送しようとするデータパケットを伝送する基地局と、前記基地局から前記データパケットを受信する端末機とを含む移動通信システムで、前記基地局によるデータパケットの伝送を制御するための装置において、
前記基地局から受信した順方向パイロット信号の受信電力値を所定の第１しきい値と比べる装置と、
前記受信電力値が前記第１しきい値より大きいと、受信したタイムスロット内のデータパケットを復号化してエラーを検査する装置と、
前記エラー検査の結果、前記データパケットにエラーがない場合、前記データパケットの再伝送を終了することを要求する信号を前記基地局へ伝送する装置と　を含むことを特徴とする装置。
【請求項３０】
前記比較装置は、前記受信したタイムスロット内のデータプリアンブルの長さを検査して低速データ伝送率であるかを確認した後、低速データ伝送率であれば、前記比較過程を行うが、ここで、前記低速データ伝送率は同一のパケットを２回以上反復伝送するデータ伝送率であることを特徴とする請求項２９に記載の装置。
【請求項３１】
前記エラー検査の結果、前記復号化データパケットにエラーがある場合、前記受信電力値に対応するデータ伝送率を決める装置と、
前記決定データ伝送率を前記基地局へ伝送して前記データパケットの再伝送を要求する装置と
をさらに含むことを特徴とする請求項２９に記載の装置。
【請求項３２】
前記受信電力値が前記第１しきい値より小さいか同一であれば、前記受信電力値に対応するデータ伝送率を決める装置と、
前記決定データ伝送率を前記基地局へ伝送して前記データパケットの再伝送を要求する装置と
をさらに含むことを特徴とする請求項３１に記載の装置。
【請求項３３】
前記受信電力値が前記第１しきい値より小さいか同一であれば、前記受信電力値を所定の第２しきい値と比べる装置と、
前記受信電力値が前記第２しきい値より小さいと、前記データパケットの再伝送を終了することを要求する信号を前記基地局へ伝送する装置と
をさらに含むことを特徴とする請求項３１に記載の装置。
【請求項３４】
前記受信電力値が前記第２しきい値より大きいか同一であれば、前記受信電力値に対応するデータ伝送率を決める装置と、
前記決定データ伝送率を前記基地局へ伝送して前記データパケットの再伝送を要求する装置と
をさらに含むことを特徴とする請求項３３に記載の装置。
【請求項３５】
前記第１しきい値は、前記現在のデータパケットのデータ伝送率に対応する受信電力値をデータパケット伝送回数だけ累算した値であることを特徴とする請求項２９乃至請求項３４のうち、いずれか一つに記載の装置。
【請求項３６】
前記第２しきい値は、現在のデータ伝送率に対応する受信電力値を所定の余裕間隔で除算して、前記現在のデータパケットに対してすでに伝送されたスロットの数を乗じた値であることを特徴とする請求項３３または請求項３４に記載の装置。
【請求項３７】
複数のデータビットをそれぞれ有する連続タイムスロットを通じて伝送しようとするデータパケットを伝送する基地局と、前記基地局から前記データパケットを受信する端末機とを含む移動通信システムで、前記基地局によるデータパケットの伝送を制御するための装置において、
前記基地局から受信した順方向パイロット信号の受信電力値を所定の第１しきい値と比べる装置と、
前記受信電力値が前記第１しきい値より大きいと、前記データパケットの再伝送を終了することを要求する信号を前記基地局へ伝送する装置と
を含むことを特徴とする装置。
【請求項３８】
前記比較装置は、前記受信したタイムスロット内のデータプリアンブルの長さを検査して低速データ伝送率であるかを確認した後、低速データ伝送率であれば、前記比較過程を行うが、ここで、前記低速データ伝送率は同一のパケットを２回以上反復伝送するデータ伝送率であることを特徴とする請求項３７に記載の装置。
【請求項３９】
前記受信電力値が前記第１しきい値より小さいか同一であれば、前記受信電力値に対応するデータ伝送率を決める装置と、
前記決定データ伝送率を前記基地局へ伝送して前記データパケットの再伝送を要求する装置と
をさらに含むことを特徴とする請求項３７に記載の装置。
【請求項４０】
前記受信電力値が前記第１しきい値より小さいか同一であれば、前記受信電力値を所定の第２しきい値と比べる装置と、
前記受信電力値が前記第２しきい値より小さいと、前記データパケットの再伝送を終了することを要求する信号を前記基地局へ伝送する装置と
をさらに含むことを特徴とする請求項３７に記載の装置。
【請求項４１】
前記受信電力値が前記第２しきい値より大きいか同一であれば、前記受信電力値に対応するデータ伝送率を決める装置と、
前記決定データ伝送率を前記基地局へ伝送して前記データパケットの再伝送を要求する装置と
をさらに含むことを特徴とする請求項４０に記載の装置。
【請求項４２】
前記第１しきい値は、前記現在のデータパケットのデータ伝送率に対応する受信電力値をデータパケット伝送回数だけ累算した値であることを特徴とする請求項３７乃至請求項４１のうち、いずれか一つに記載の装置。
【請求項４３】
前記第２しきい値は、現在のデータ伝送率に対応する受信電力値を所定の余裕間隔で除算して、前記現在のデータパケットに対してすでに伝送されたスロットの数を乗じた値であることを特徴とする請求項４０または請求項４１に記載の装置。
【請求項４４】
複数のデータビットをそれぞれ有する連続タイムスロットを通じて伝送しようとするデータパケットを伝送する基地局と、前記基地局から前記データパケットを受信する端末機を含む移動通信システムで、前記基地局によるデータパケットの伝送を制御するための装置において、
前記基地局から受信した順方向パイロット信号の受信電力値を所定のしきい値と比べる装置と、
前記受信電力値が前記しきい値より小さいと、前記データパケットの再伝送を終了することを要求する信号を前記基地局へ伝送する装置と
を含むことを特徴とする装置。
【請求項４５】
前記比較装置は、前記受信したタイムスロット内のデータプリアンブルの長さを検査して低速データ伝送率であるかを確認した後、低速データ伝送率であれば、前記比較過程を行うが、ここで、前記低速データ伝送率は同一のパケットを２回以上反復伝送するデータ伝送率であることを特徴とする請求項４４に記載の装置。
【請求項４６】
前記しきい値は、現在のデータ伝送率に対応する受信電力値にデータパケット伝送回数だけを乗じた値と所定の余裕間隔との差に、前記データパケットの伝送可能なスロットの総数に対するすでに伝送されたスロットの数の比率を乗じた値であることを特徴とする請求項４４または請求項４５に記載の装置。
【請求項４７】
複数のデータビットをそれぞれ有する連続タイムスロットを通じて伝送しようとするデータパケットを伝送する基地局と、前記基地局から前記データパケットを受信する端末機とを含む移動通信システムで、前記基地局によるデータパケットの伝送を制御するための装置において、
前記基地局から受信した順方向パイロット信号の受信電力値を所定の第１しきい値と比べる装置と、
前記受信電力値が前記第１しきい値より小さいか同一であれば、前記受信電力値に対応するデータ伝送率を決める装置と、
前記決定データ伝送率を前記基地局へ伝送して前記データパケットの再伝送を要求する装置と
を含むことを特徴とする装置。
【請求項４８】
前記比較装置は、前記受信したタイムスロット内のデータプリアンブルの長さを検査して低速データ伝送率であるかを確認した後、低速データ伝送率であれば、前記比較過程を行うが、ここで、前記低速データ伝送率は同一のパケットを２回以上反復伝送するデータ伝送率であることを特徴とする請求項４７に記載の装置。
【請求項４９】
前記受信電力値が前記第１しきい値より小さいか同一であれば、前記受信電力値を所定の第２しきい値と比べる装置と、
前記受信電力値が前記第２しきい値より大きいか同一であれば、前記受信電力値に対応するデータ伝送率を決める装置と、
前記決定データ伝送率を前記基地局へ伝送して前記データパケットの再伝送を要求する装置と
をさらに含むことを特徴とする請求項４７に記載の装置。
【請求項５０】
前記第１しきい値は、前記現在のデータパケットのデータ伝送率に対応する受信電力値をデータパケット伝送回数だけ累算した値であることを特徴とする請求項４７乃至請求項４９のうち、いずれか一つに記載の装置。
【請求項５１】
前記第２しきい値は、現在のデータ伝送率に対応する受信電力値を所定の余裕間隔で除算して、前記現在のデータパケットに対してすでに伝送された回数を乗じた値であることを特徴とする請求項４９に記載の装置。
【請求項５２】
複数のデータビットをそれぞれ有する連続タイムスロットを通じて伝送しようとするデータパケットを伝送する基地局と、前記基地局から前記データパケットを受信する端末機とを含む移動通信システムで、前記基地局によるデータパケットの伝送を制御するための装置において、
前記基地局から受信した順方向パイロット信号の受信電力値を所定の第１しきい値と比べる装置と、
前記受信電力値が前記第１しきい値より小さいか同一であれば、前記決定されたデータ伝送率を基地局に伝送して前記データパケットの再伝送を要求する装置と
を含むことを特徴とする装置。
【請求項５３】
前記比較装置は、前記受信したタイムスロット内のデータプリアンブルの長さを検査して低速データ伝送率であるかを確認した後、低速データ伝送率であれば、前記比較過程を行うが、ここで、前記低速データ伝送率は同一のパケットを２回以上反復伝送するデータ伝送率であることを特徴とする請求項５２に記載の装置。
【請求項５４】
前記受信電力値が前記第１しきい値より小さいか同一であれば、前記受信電力値を所定の第２しきい値と比べる装置と、
前記受信電力値が前記第２しきい値より大きいか同一であれば、前記基地局に前記データパケットの再伝送を要求する装置と
をさらに含むことを特徴とする請求項５２に記載の装置。
【請求項５５】
前記第１しきい値は、前記現在のデータパケットのデータ伝送率に対応する受信電力値をデータパケット伝送回数だけ累算した値であることを特徴とする請求項５２乃至請求項５４のうち、いずれか一つに記載の装置。
【請求項５６】
前記第２しきい値は、現在のデータ伝送率に対応する受信電力値を所定の余裕間隔で除算して前記現在のデータパケットに対してすでに伝送されたスロットの数を乗じた値であることを特徴とする請求項５４記載の方法。
【発明の詳細な説明】
【０００１】
【発明の属する技術分野】
本発明は、移動通信システムにおけるパケット伝送方法及び装置に係り、特に、リンク適応方式及びＡＲＱ（Ａｕｔｏｍａｔｉｃ Ｒｅｐｅａｔ ｒｅＱｕｅｓｔ）方式で順方向チャンネルの状態によって端末機（Ａｃｃｅｓｓ Ｔｅｒｍｉｎａｌ：ＡＴ）が基地局（Ａｃｃｅｓｓ Ｎｅｔｗｏｒｋ：ＡＮ）によるデータパケットの伝送を制御するための方法及び装置に関する。
【０００２】
【従来の技術】
通常、移動通信システムは端末機と基地局から構成される。このような移動通信システムで使用される無線チャンネルでは、距離及び陰影によって伝播経路の減衰量が変化し、システム間の干渉及びフェーディングが深刻であるため、チャンネル状態による受信信号対干渉比（Ｃａｒｒｉｅｒ ｔｏ Ｉｎｔｅｒｆｅｒｅｎｃｅ ｒａｔｉｏ：以下、Ｃ／Ｉと略称する）の変化が大きい。リンク適応方式は受信Ｃ／Ｉなどのチャンネル状態によってデータ伝送率を調節してチャンネルの処理率（Ｔｈｒｏｕｇｈｐｕｔ）を高めるための技術である。このようなリンク適応方式でデータ伝送率は符号化率及び変調方式によって決められるが、すなわち、リンク適応方式を使用するシステムは受信Ｃ／Ｉが大きいときは高い符号化率の符号と高レベルの変調方式を用いてデータ伝送率を高め、受信Ｃ／Ｉが小さいときは低い符号化率の符号と低レベルの変調方式を用いてデータ伝送率を低め、パケットを選択的に反復伝送してチャンネルの信頼度を向上させる。
【０００３】
例えば、３ＧＰＰ２（３ｒｄ Ｇｅｎｅｒａｔｉｏｎ Ｐａｒｔｎｅｒｓｈｉｐ Ｐｒｏｊｅｃｔ ２）で提案されたＨＤＲ（Ｈｉｇｈ Ｄａｔａ Ｒａｔｅ）規格の順方向リンクのリンク適応方式によるＨＤＲの物理階層はＱＰＳＫ（Ｑｕａｄｒａｔｕｒｅ Ｐｈａｓｅ Ｓｈｉｆｔ Ｋｅｙｉｎｇ）、８ＰＳＫ（８−ａｒｙ Ｐｈａｓｅ Ｓｈｉｆｔ Ｋｅｙｉｎｇ）及び１６ＱＡＭ（１６−ａｒｙ Ｑｕａｄｒａｔｕｒｅ Ａｍｐｌｉｔｕｄｅ Ｍｏｄｕｌａｔｉｏｎ）などの３種の変調方式と１／４、３／８及び１／２の３通りの符号化率、さらにパケット反復回数による１３種類の伝送方式によって伝送されることができる。
【０００４】
図１はＨＤＲ順方向及び逆方向リンクを示している。図１を参照すれば、ＨＤＲパケットは一つのスロット当たり２０４８個のチップからなり、半分のスロットに存在するパイロットチャンネルには９６個のチップが割り当てられる。このようなパイロットチャンネルはトラフィックチャンネルと同一の電力で伝送されるので、パイロットチャンネルに対して測定されたＣ／ＩはトラフィックチャンネルのＣ／Ｉと同一である。前記パイロットＣ／Ｉは符号化率及び変調方式を選択する基準となる。
【０００５】
図２は従来技術によるＨＤＲシステムのパケット伝送要求動作を示したフローチャートである。図２を参照すれば、端末機はステップＳ１１０で各スロットを通じてパケットを受信する度にそのパケットのプリアンブル（Ｐｒｅａｍｂｌｅ）を分析して端末機が受信したパケットであるかを確認した後、端末機が受信したパケットであれば、プリアンブルの長さを検査して端末機が要求した伝送速度であるかを確認する。その後、端末機はステップＳ１２０で前記パケットのパイロット信号に対する受信Ｃ／Ｉ値を測定し、ステップＳ１３０で前記受信Ｃ／Ｉ値に対応するデータ伝送率を決める。ステップＳ１４０では前記決定されたデータ伝送率の情報が基地局に帰還伝送される。このとき、前記データ伝送率の情報はＤＲＣ（Ｄａｔａ Ｒａｔｅ Ｃｏｎｔｒｏｌ）と称し、前記ＤＲＣは図１に示したように各スロット区間ごとに逆方向リンクのＤＲＣチャンネルを通じて伝送される。
【０００６】
前記決定されたデータ伝送率が低い場合、基地局はチャンネルの信頼度を確保するために一つのパケットを反復的に伝送する。図３はＨＤＲ順方向リンクのデータ伝送率によるパケットの長さを示している。図３を参照すれば、３８．４ｋｂｐｓのデータ伝送率では一つのパケットが１６回、７６．８ｋｂｐｓでは一つのパケットが８回も反復伝送される。しかしながら、６１４．４ｋｂｐｓから２４５７．６ｋｂｐｓまでの高速データ伝送率では一つのパケットが１回だけ伝送される。
【０００７】
ところが、上述したように一つのパケットを反復伝送すると、チャンネルの信頼度は向上するが、一つのパケットが占めるスロット区間は長くなるため、チャンネル予測の誤差が大きく、チャンネルの変化によって符号化率及び変調方式を迅速に対応せず、一つのパケットが資源を長時間占めて無線資源の浪費が発生する。さらに、ＨＤＲ順方向リンクはユーザー間の時分割（Ｔｉｍｅ Ｄｉｖｉｓｉｏｎ Ｍｕｌｔｉｐｌｅｘｉｎｇ：ＴＤＭ）方式を使用するため、ユーザーが低い伝送率で多いタイムスロットを占有する場合、全体的な処理率は悪化するという問題点がある。
【０００８】
一方、ＡＲＱ（Ａｕｔｏｍａｔｉｃ Ｒｅｐｅａｔ ｒｅＱｕｅｓｔ）方式では、端末機が受信したパケットに対するＣＲＣ（Ｃｙｃｌｉｃ Ｒｅｄｕｎｄａｎｃｙ Ｃｈｅｃｋ）を行ってエラーがあるときのみ、基地局にパケット再伝送を要求する。したがって、データ伝送率は実質的に低くなり、チャンネルの信頼度は向上される。さらに、最新式のハイブリッドＡＲＱ方式では、エラー訂正符号を用いてパケット再伝送時の符号化率を低めるか、再伝送された同一順番のパケットを結合して復号化することにより、パケットの信頼度を一層向上させる。
【０００９】
図４は従来技術によるハイブリッドＡＲＱ（ＨＡＲＱ）システムのパケット再伝送要求動作を示したフローチャートである。図４を参照すれば、端末機はステップＳ２１０でパケットを受信し、ステップＳ２２０で前記受信したパケットを以前に受信した同一順番のパケットと結合してパケットシンボルを累算する。前記端末機はステップＳ２３０で前記パケットシンボルを復号化してＣＲＣを行い、ステップＳ２４０ではＣＲＣエラーがあるかを確認する。その結果、ＣＲＣエラーがなければ、前記端末機はステップＳ２５０で基地局にＡＣＫ（Ａｃｋｎｏｗｌｅｄｇｍｅｎｔ）信号を伝送し、復号化データを上位レベルに伝送する。ステップＳ２６０では、前記復号化データが上位レベルで処理され、前記累算シンボルは廃棄される。しかしながら、ＣＲＣエラーがあるときは、ステップＳ２４５で端末機が同一のパケットの再伝送を要求する。
【００１０】
上述しように、ＡＲＱ方式では受信したパケットを復号化した後、ＣＲＣを行う。この場合、チャンネル状態が非常に不良であれば、ＣＲＣ検査過程で続けてエラーを検出し、これにより再伝送を続けて要求するようになる。したがって、反復的な復号化に不必要に多い電力が消耗され、復号化にかかる時間だけ帰還遅延時間も長くなるという問題点が発生する。すなわち、端末機は多数のパケットを貯蔵するのに十分な大容量の記憶装置を必要とする。
【００１１】
チャンネルの状態によって伝送方法及び伝送回数を変更することにより処理率を向上させるための方法としてはリンク適応方式及びＡＲＱ方式がある。しかしながら、リンク適応方式はパケット反復伝送による処理率減少問題、ＡＲＱ方式は電力浪費、遅延時間の増加問題を引き起こして大容量の記憶装置を必要とするという短所がある。
【００１２】
【発明が解決しようとする課題】
従って、本発明の目的は、移動通信システムに使用されるリンク適応方式とＡＲＱ方式でチャンネル適応速度を速くして処理率を向上させる方法及び装置を提供することにある。
本発明の他の目的は、リンク適応方式及びＡＲＱ方式で復号化を行うか否かを決定した後、パケットのエラーを検査する方法及び装置を提供することにある。
【００１３】
本発明のまた他の目的は、リンク適応方式及びＡＲＱ方式で受信電力値の測定結果によってパケットを再伝送するか否かを決める方法及び装置を提供することにある。
本発明のさらに他の目的は、リンク適応方式及びＡＲＱ方式で受信電力値の測定結果によってパケットを復号化するか否かを決める方法及び装置を提供することにある。
【００１４】
【課題を解決するための手段】
前記本発明の目的はチャネルの状態によって移動通信システムを採用する方式により達成される。リンク適応方式及びＡＲＱ方式で基地局からのデータパケットの伝送を制御するために、端末機は基地局から受信した順方向パイロット信号の受信電力値を所定の第１しきい値と比較して前記受信電力値が前記第１しきい値より大きいと、受信したタイムスロット内のデータパケットにエラーがあるかを検査する。その結果、復号化後、前記データパケットにエラーがない場合、前記データパケットの再伝送を終了することを要求する信号を前記基地局へ伝送する。
【００１５】
【発明の実施の形態】
以下、本発明の好適な実施形態を添付図面を参照して詳細に説明する。下記の説明において、本発明の要旨のみを明瞭にするために関連公知機能または構成に関する具体的な説明は省略する。
【００１６】
以下、本発明で使用する用語を定義する。
ＡＣＫ：受信したパケットにエラーがない場合、パケットの再伝送を中止することを要求する信号
ＮＡＣＫ：受信したパケットを再伝送してもエラーが続けて発生することが確かであれば、パケットの再伝送を中止することを要求する信号
現在のパケット：現在受信しようとする一連の順番を有するパケット
同一のパケット：同一の順番を有するパケット
【００１７】
図５は本発明の実施形態によるＨＤＲシステムのパケット伝送制御動作を示したフローチャートである。図５を参照すれば、ステップＳ３１０で端末機は各タイムスロットを通じてパケットを受信する度に、そのプリアンブルを分析して端末機が受信したパケットであるかを確認する。仮に、端末機が受信したパケットであることが確認されると、端末機はステップＳ３２０でプリアンブルの長さを検査して低速データ伝送率であるかを確認する。ここで、低速データ伝送率とは一つのパケットが少なくとも二回以上伝送される伝送率をいう。パケットの再伝送のない高速データ伝送率の場合、端末機は図２に示した従来の技術のように受信したパケットのパイロットＣ／Ｉ値を測定して（ステップＳ１２０）、前記受信したＣ／Ｉ値に対応するデータ伝送率を決める（ステップＳ１３０）。
【００１８】
しかしながら、低速データ伝送率の場合（パケットの反復伝送時）、端末機はステップＳ３３０で現在受信したパケットの時間区間で順方向のパイロットチャネルまたは順方向のパイロットシンボルに対する受信電力値を測定する。前記現在パケットのパイロットＣ／Ｉ値がすでに測定されていると、すなわち、現在パケットがすでに受信されていると、端末機は前記同一のパケットに対して累算されたパイロットＣ／Ｉ値を計算する。
【００１９】
ステップＳ３４０において、端末機は前記測定されたパイロットＣ／Ｉ値または累算されたパイロットＣ／Ｉ値を所定の第１しきい値と比べる。前記第１しきい値は復号化以後にパケットエラー率を所定の値以下に保障する下限値である。前記第１しきい値は現在のパケットのデータ伝送率に対応するＣ／Ｉ値をパケット伝送回数だけ累算することにより得られる。すなわち、端末機は様々なデータ伝送率に対応する要求Ｃ／Ｉ値を貯蔵するＣ／Ｉテーブルで現在のデータ伝送率に対応するＣ／Ｉ値を検索して前記Ｃ／Ｉ値を用いて第１しきい値を決める。下記の表１にはデータ伝送率に対する要求Ｃ／Ｉ値と第１しきい値の例を示した。
【００２０】
【表１】
2004502325.tif 000003
【００２１】
前記パイロットＣ／Ｉ値が前記第１しきい値より大きい場合、ステップＳ３５０で端末機は現在のパケットを復号化してエラー検査を行う。ここで、パケットのエラー検査は各種の方式により行われうるが、本発明ではＣＲＣエラー検査方式を採用する。
前記ＣＲＣ検査の結果、ステップＳ３６０でエラーがない場合、ステップＳ３７０で端末機は基地局へＡＣＫ信号を伝送し、現在のパケットを上位レベルに伝送する。上述したように、ＡＣＫ信号は受信したパケットにエラーのないことを示す。ＡＣＫ信号を受信した基地局は現在のパケットの再伝送を中止し、次のパケットの伝送を開始する。一方、前記ＣＲＣ検査の結果、ステップＳ３６０でエラーがある場合、ステップＳ３６２で端末機は前記パイロットＣ／Ｉ値に対応するデータ伝送率を決め、ステップＳ３６４で基地局へ前記決定されたデータ伝送率情報であるＤＲＣ（Ｄａｔａ Ｒａｔｅ Ｃｏｎｔｒｏｌ）を伝送する。前記ＤＲＣ情報を受信した基地局は端末機が要求するデータ伝送率で現在のパケットを再伝送する。
【００２２】
ステップＳ３４０で前記パイロットＣ／Ｉ値が前記第１しきい値より小さいか同じである場合、端末機はステップＳ３４２で前記パイロットＣ／Ｉ値を所定の第２しきい値と比べる。前記第２しきい値は現在のパケットが全体スロットの数だけ反復伝送されるとしても、パケットエラーが存在することが確かであるパイロットＣ／Ｉ値又は累算パイロットＣ／Ｉ値である。
【００２３】
前記パイロットＣ／Ｉ値が前記第２しきい値より小さい場合、ステップＳ３４４で端末機は復号化を止め、基地局へＮＡＣＫ信号を伝送して現在パケットの再伝送を中止させる。上述したように、ＮＡＣＫ信号は受信したパケットが正常でないことを示す。この場合、現在のパケットは上位レベルでエラーとして認められる。ＮＡＣＫ信号を受信した基地局は現在パケットの再伝送を中止するか、現在パケットを始めのスロットから再伝送する。前記パイロットＣ／Ｉ値が前記第２しきい値より大きいか同じである場合、ステップＳ３６２で端末機は前記パイロットＣ／Ｉ値に対応するデータ伝送率を決め、ステップＳ３６４で基地局へ前記ＤＲＣ情報を伝送する。前記ＤＲＣ情報を受信した基地局はそのデータ伝送率で現在のパケットを再伝送する。
ここで、前記第２しきい値は下記の式により得られる。
【００２４】
（式１）
第２しきい値＝
（要求Ｃ／Ｉ×現在パケットのスロットの総数÷余裕間隔）
×（現在パケットに対して伝送されたスロットの数／現在パケットに対するスロットの総数）
＝（要求Ｃ／Ｉ÷余裕間隔）×現在パケットに対して伝送されたスロットの数
または、
（式２）
第２しきい値［ｄＢ］＝
要求Ｃ／Ｉ［ｄＢ］−余裕間隔［ｄＢ］
＋１０×ｌｏｇ１０（現在パケットに対して伝送されたスロットの数）
【００２５】
すなわち、第２しきい値は現在のデータ伝送率に対応するＣ／Ｉ値を所定の余裕間隔で除算して前記現在のパケットに対してすでに伝送されたスロットの数を乗ずることにより得られる。前記第２しきい値は伝送されたスロットの数によって変化する。前記余裕間隔は第２しきい値に対する信頼度によって決められる。すなわち、ＮＡＣＫに対する信頼度を高くするときは余裕間隔を増加させ、ＮＡＣＫに対する信頼度を低くするときは余裕間隔も縮小させる。
【００２６】
以下、データ伝送率７６．８ｋｂｐｓで５スロットが伝送された場合、第２しきい値を決める例について説明する。要求Ｃ／Ｉ値は表１でのように−９．０ｄＢとし、余裕間隔は３．０ｄＢとする。すでに伝送されたスロットの数は１０＊ｌｏｇ（５）＝７．０ｄＢである。前記第２しきい値は−９．０ｄＢ−３．０ｄＢ＋７．０ｄＢ＝−５．０
ｄＢとなる。表２には７６．８ｋｂｐｓの伝送率で伝送されたスロットの数に対する第２しきい値の例を示した。
【００２７】
【表２】
2004502325.tif 000004
【００２８】
上述したように、端末機は受信パイロットＣ／Ｉ値の比較結果及びＣＲＣエラーの検査結果によってＤＲＣ、ＡＣＫ及びＮＡＣＫのうち、いずれか一つをＤＲＣチャンネルを通じて伝送する。
表３には、本発明の実施形態によってＤＲＣチャンネルを通じて伝送される情報の例を示した。
【００２９】
【表３】
2004502325.tif 000005
【００３０】
表３を参照すれば、４ビットのＤＲＣシンボルの００００乃至１１００は各々のデータ伝送率を示すが、１１０１はＡＣＫを、１１１１はＮＡＣＫを示す。表３において、ｓｈｏｒｔは短いパケットを、ｌｏｎｇは長いパケットを示す。
図６は本発明の実施形態によるＨＤＲシステムの順方向及び逆方向リンクのスロット送受信関係を示した図である。図６において、基地局が順方向リンク（ＡＮ Ｔｘ）のスロットを通じてパケットを反復伝送すると、端末機は各スロットを受信する度にＤＲＣ、ＡＣＫ及びＮＡＣＫのうち、いずれか一つを逆方向のＤＲＣチャンネル（ＡＴ Ｔｘ）を通じて帰還させる。
【００３１】
図７は本発明の実施形態によるＨＤＲ端末機の送信機構造を示している。図７を参照すれば、端末機のＣ／Ｉ測定器１１０が基地局から受信したパイロットチャンネルまたはパイロットシンボルに対してＣ／Ｉ値を測定する。Ｃ／Ｉ累算器１２０は同一のパケットがすでに受信されているかを確認して同一のパケットが存在すると、前記パケットのパイロットＣ／Ｉ値を累算する。Ｃ／Ｉ比較器１３０は前記累算されたパイロットＣ／Ｉ値を所定の第１しきい値及び第２しきい値とそれぞれ比べてその比較結果をＤＲＣ制御器１７０へ伝送する。ＤＲＣ制御器１７０は前記測定されたパイロットＣ／Ｉ値に対応するデータ伝送率を決め、ＤＲＣシンボルを生成する。
【００３２】
トラフィックシンボル累算器１４０は前記同一のパケットのトラフィックシンボルを累算し、復号化器１５０は前記累算されたパイロットＣ／Ｉ値が第１しきい値より大きい場合のみ、前記累算されたトラフィックシンボルを復号化する。ＣＲＣ検査器１６０は前記復号化されたトラフィックシンボルのＣＲＣ検査を行い、その結果をＤＲＣ制御器１７０へ伝送する。
【００３３】
ＤＲＣ制御器１７０は前記Ｃ／Ｉ比較結果及びＣＲＣ検査結果に基づいてメモリ１８０に貯蔵されたＡＣＫ、ＮＡＣＫ及びＤＲＣシンボルのうち、いずれか一つを選択して逆方向リンクのＤＲＣチャンネルを通じて伝送する。前記メモリ１８０には表１に示したＤＲＣチャンネルを通じて伝送される情報が貯蔵される。
【００３４】
上述した本発明の実施形態は変形が可能である。例えば、受信電力値（すなわち、受信Ｃ／Ｉ値）の測定正確度が一定の範囲内で維持されると、ＡＣＫ信号はＣＲＣ検査なしに直接伝送が可能である。すなわち、端末機はステップＳ３４０で順方向パイロット信号に対して測定された受信電力値を第１しきい値と比べて前記受信電力値が前記第１しきい値より大きいと、ステップＳ３７０に進行して基地局に直接ＡＣＫ信号を伝送する。
【００３５】
他の例では、前記受信Ｃ／Ｉ値がステップＳ３４０で第１しきい値より小さいか同じであれば、ステップＳ３６２及びステップＳ３６４に進行して基地局にパケットの再伝送を要求することができる。
さらに他の例では、端末機が受信電力値を第１しきい値と比べるまえにステップＳ３４２で第２しきい値と比べて前記受信電力値が前記第２しきい値より小さいと、ステップＳ３４４に進行してＮＡＣＫ信号を基地局に直接伝送することもできる。
【００３６】
図８は本発明の他の実施形態によるハイブリッドＡＲＱシステムのパケット再伝送要求動作を示したフローチャートである。図８を参照すれば、ステップＳ４１０で基地局から端末機へパケットが受信されると、端末機は前記パケットが伝送される時間区間（以下、現在パケット区間という）に該当するパイロットチャンネルのＣ／Ｉ値を測定する。前記同一パケットに対して測定されたパイロットＣ／Ｉ値がすでに存在すると、ステップＳ４２０で前記端末機は前記すでに存在するパイロットＣ／Ｉ値に現在パケットのパイロットＣ／Ｉ値を累算する。さらに、ステップＳ４３０で前記同一のパケットがすでに受信されていると、前記端末機は前記同一のパケットのトラフィックシンボルを累算する。仮に、ハイブリッドＡＲＱでない場合、ステップＳ４３０でトラフィックシンボルは累算されない。
【００３７】
端末機はステップＳ４４０で前記測定されたパイロットＣ／Ｉ値または累算されたパイロットＣ／Ｉ値を所定の第１しきい値と比較する。前記第１しきい値は現在パケットのデータ伝送率に対応するＣ／Ｉ値をパケットの反復回数だけ累算した値である。前記パイロットＣ／Ｉ値が前記第１しきい値より大きい場合、端末機はステップＳ４５０で前記累算されたトラフィックシンボルを復号化してＣＲＣ検査を行う。
【００３８】
前記ＣＲＣ検査の結果、ステップＳ４６０でエラーがない場合、ステップＳ４７０で端末機は基地局にＡＣＫ信号を帰還伝送して現在パケットの再伝送を中止させる。ステップＳ４８０で端末機は現在のパケットを上位レベルに伝送し、前記復号化データ及び前記パイロットＣ／Ｉ値は廃棄する。さらに、前記ＣＲＣ検査の結果、ステップＳ４６０でエラーがある場合、ステップＳ４６２で端末機は基地局に現在パケットの再伝送を要求する信号を伝送する。
【００３９】
一方、前記パイロットＣ／Ｉ値が前記第１しきい値より小さいか同一である場合、端末機はステップＳ４２２で前記パイロットＣ／Ｉ値を所定の第２しきい値と比べる。前記第２しきい値は前記現在のパケットが前記パケットの最大伝送回数だけ伝送されるとしても、パケットエラーが発生することが確かである値を示す。前記第２しきい値はパケットの伝送回数によって変化する。ＡＲＱシステムにおいて、前記第２しきい値は、式１に示したように、現在のデータ伝送率に対応するＣ／Ｉ値を所定の余裕間隔で除算して、現在パケットの伝送回数を乗ずることにより得られる。
【００４０】
前記パイロットＣ／Ｉ値が前記第２しきい値より小さいと、ステップＳ４４６で端末機は基地局へＮＡＣＫ信号を伝送する。ＮＡＣＫ信号を受信した基地局は、前記パケットを始めのスロットから伝送するか、前記パケットの再伝送を放棄して前記パケットに割り当てられた資源を他のユーザーに割り当てる。一方、前記パイロットＣ／Ｉ値が前記第２しきい値より大きいか同一であれば、ステップＳ４６２で端末機は前記パケットの再伝送を要求する信号を基地局へ伝送する。
【００４１】
上述したように、本発明の第２実施形態においては、受信パイロットＣ／Ｉ値が第１しきい値より大きく、ＣＲＣエラーがある場合及び受信パイロットＣ／Ｉ値が第１しきい値より小さいか同一であり、第２しきい値よりは大きい場合、端末機は再伝送を要求する信号を基地局へ伝送する。
【００４２】
本発明の第１実施形態と同様に、本発明の第２実施形態も変形が可能である。受信Ｃ／Ｉ値の測定正確度が一定の範囲内で維持されると、ＡＣＫ信号はＣＲＣ検査なしに直接伝送が可能である。すなわち、端末機はステップＳ４４０で順方向パイロット信号に対して測定された受信Ｃ／Ｉ値を第１しきい値と比べて前記受信Ｃ／Ｉ値が前記第１しきい値より大きいと、ステップＳ４７０に進行して基地局に直接ＡＣＫ信号を伝送する。
【００４３】
他の例では、前記受信Ｃ／Ｉ値がステップＳ４４０で第１しきい値より小さいか同じであれば、ステップＳ４６２に進行して基地局にパケットの再伝送を要求する。
さらに他の例では、端末機が受信Ｃ／Ｉ値を第１しきい値と比べるまえにステップＳ４４２で第２しきい値と比べて前記受信Ｃ／Ｉ値が前記第２しきい値より小さいと、ステップＳ４４６に進行してＮＡＣＫ信号を基地局に直接伝送することができる。
【００４４】
【発明の効果】
上述したように、本発明は次のような利点を有する。第一に、リンク適応方式及びＡＲＱ方式の移動通信システムで受信電力の測定結果によって復号化及びＣＲＣ検査を行うことにより、不必要な復号化及びＣＲＣ検査過程を除去する。したがって、チャンネルの処理率を高めて復号化に必要な電力消費を減少させるのみならず、帰還時間の減少による送信機記憶装置の要求量も減少させることができる。第二に、受信電力の測定結果によって受信リンクの状態を予測してＡＣＫ又はＮＡＣＫ信号を基地局へ伝送することにより、基地局の不必要なパケット再伝送を防止することができる。
【００４５】
一方、本発明の詳細な説明では具体的な実施形態について説明したが、本発明の特許請求の範囲を逸脱しない限り、各種の変形が該当技術分野における通常の知識をもつ者により可能なのは明らかである。
【図面の簡単な説明】
【図１】ＨＤＲ順方向及び逆方向リンクを示した図である。
【図２】従来技術によるＨＤＲシステムのパケット再伝送要求動作を示したフローチャートである。
【図３】ＨＤＲ順方向データ伝送率によるパケットの伝送を示した図である。
【図４】従来技術によるハイブリッドＡＲＱシステムのパケット再伝送要求動作を示したフローチャートである。
【図５】本発明の実施形態によるＨＤＲシステムのパケット伝送制御動作を示したフローチャートである。
【図６】本発明の実施形態によるＨＤＲシステムの順方向及び逆方向リンクを示した図である。
【図７】本発明の実施形態によるＨＤＲシステム端末機の送信機構造を示した図である。
【図８】本発明の他の実施形態によるハイブリッドＡＲＱシステムのパケット伝送制御動作を示したフローチャートである。
【符号の説明】
１１０…Ｃ／Ｉ測定器
１２０…Ｃ／Ｉ累算器
１３０…Ｃ／Ｉ比較器
１４０…トラフィックシンボル累算器
１５０…復号化器
１６０…ＣＲＣ検査器
１７０…ＤＲＣ制御器
１８０…メモリ
【国際公開パンフレット】
2004502325.tif 000006
2004502325.tif 000007
2004502325.tif 000008
2004502325.tif 000009
2004502325.tif 000010
2004502325.tif 000011
2004502325.tif 000012
2004502325.tif 000013
2004502325.tif 000014
2004502325.tif 000015
2004502325.tif 000016
2004502325.tif 000017
2004502325.tif 000018
2004502325.tif 000019
2004502325.tif 000020
2004502325.tif 000021
2004502325.tif 000022
2004502325.tif 000023
2004502325.tif 000024
2004502325.tif 000025
2004502325.tif 000026
2004502325.tif 000027
2004502325.tif 000028
2004502325.tif 000029
2004502325.tif 000030
2004502325.tif 000031
2004502325.tif 000032
2004502325.tif 000033
2004502325.tif 000034
2004502325.tif 000035
2004502325.tif 000036
2004502325.tif 000037
2004502325.tif 000038
【国際調査報告】
2004502325.tif 000039
2004502325.tif 000040